Podtech/llm-jp-corpus-v4-ja_patent huggingface dataset:
【誤訳訂正書】
【提出日】平成20年11月13日(2008.11.13)
【誤訳訂正１】
【訂正対象書類名】特許請求の範囲
【訂正対象項目名】全文
【訂正方法】変更
【訂正の内容】
【特許請求の範囲】
【請求項１】
積層され垂直電気接続されている少なくとも１つの第一チップ層（１、２、３）および少なくとも１つの第二チップ層（１’、２’、３’）を有する三次元半導体回路構成体であって、前記第二チップ層の電子部品に電気的に接続されている接続要素（５）が、前記第一チップ層の電子部品に電気的に接続されている該第一チップ層の接触面（１５）に接触することにより、前記第一チップ層の少なくとも１つの電子部品が前記第二チップ層の少なくとも１つの電子部品に電気的に接続されるものである回路構成体において、前記第一チップ層の接触面（１５）が複数の相互に絶縁された接触面区域（９）から成り、前記第二チップ層の電気的接続要素（５）が接触した前記接触面区域（９）を前記第一チップ層の電子部品に電気的に接続するデバイスを備え、
前記接触面（１５）に接する前記電気的接続要素（５）の接触領域が、前記接触面（１５）の接触面区域（９）の表面と等しいか、または小さいことを特徴とする回路構成体。
【請求項２】
前記第二チップ層の電気的接続要素（５）が該第二チップ層を垂直に貫通していることを特徴とする請求項１記載の回路構成体。
【請求項３】
前記接触面区域（９）の寸法が１平方マイクロメートルであることを特徴とする請求項１または２記載の回路構成体。
【請求項４】
前記接触面区域（９）が二次元の接触面アレイ（２０）を形成することを特徴とする請求項１〜３いずれか１項記載の回路構成体。
【請求項５】
各々が前記第一チップ層の別々の電子部品に関連する前記第二チップ層の複数の電気的接続要素（５）が、前記第一チップ層の接触面アレイ（２０）に接触し、
電気的接続要素（５）が接触した接触面区域（９）を特定の接続要素（５）に関連する前記第一チップ層の電子部品に電気的に接続する選択回路を、チップ間接続ドライバーに組み込むか、または前記接触面区域（９）の下に配置することを特徴とする請求項４記載の回路構成体。
【誤訳訂正２】
【訂正対象書類名】明細書
【訂正対象項目名】００１８
【訂正方法】変更
【訂正の内容】
【００１８】
本発明は多数の接触面アレイに適用すると特に効果を発揮することができる。以下ＣＭＯＳカメラ・チップを例に説明する。図３は下部チップ層の上部層２表面の接触面アレイ２０を示す図である。各々の接触面１５は、図３に図示しない上部チップ層のイメージ・センサー、および下部チップ層の評価回路（図示せず）に関連している。個々のチップ層に積層位置合せ誤差があるため、それぞれの接触面１５の辺の長さａは、例えば、２０μｍ×２０μｍと比較的大きい。これによって、位置合せ誤差約±１０μｍがカバーされる。接触面１５は、例えば、０．５μｍの距離ｄをおいて配列されている。従って、接触面アレイ２０の合計寸法は次のようになる。
【誤訳訂正書】
【提出日】平成21年4月13日(2009.4.13)
【誤訳訂正１】
【訂正対象書類名】明細書
【訂正対象項目名】０００８
【訂正方法】変更
【訂正の内容】
【０００８】
本発明の１つの目的は、従来技術の問題点の幾つかを緩和することである。
本発明の第一の側面によれば、本発明は、ホスト車用の標的車位置感知装置であって、ホスト車の前方における道路の少なくとも一部分の像を取得し得るようにされた像取得手段を有する車線検出装置と、
ホスト車に対する予測された走行路を推定し得るようにされた走行路推定手段と、
ホスト車の前方における道路上にある標的車の位置を識別し得るようにされ、該位置がホスト車からの標的車の距離を表わすようにした、標的車検出装置と、
ホスト車が予測された走行路に沿って標的車までの距離だけ走行したとき、ホスト車が位置するであろう標的車線を決定し得るようにされた第一のデータ処理手段と、
標的車検出装置によって決定された標的車の位置を標的車線の位置と比較し、標的車の実際の位置の処理した推定値を提供し得るようにされた第二の処理手段とを備える、ホスト車用標的車位置感知装置を提供する。
【誤訳訂正書】
【提出日】平成21年6月24日(2009.6.24)
【誤訳訂正１】
【訂正対象書類名】特許請求の範囲
【訂正対象項目名】全文
【訂正方法】変更
【訂正の内容】
【特許請求の範囲】
【請求項１】
（ａ）Ｎ−｛５−［４−（４−メチル−ピペラジノ−メチル）−ベンゾイルアミド］−２−メチルフェニル｝−４−（３−ピリジル）−２−ピリミジン−アミンおよび（ｂ）パクリタキセル、ドセタキセル、レトロゾールまたはゾレドロン酸から選択される化学療法剤とを含んでなる併用剤であって、それぞれの有効成分は遊離の形態または医薬的に許容される塩または水和物の形態で存在し、また所望により少なくとも１種の医薬的に許容される担体を含んでなり、同時または別個にまたは連続的に使用する併用剤。
【請求項２】
化合物（ａ）をそのモノメタンスルホン酸塩の形態で使用する請求項１記載の併用剤。
【請求項３】
併用製剤または医薬組成物である請求項１または２記載の併用剤。
【請求項４】
請求項１ないし３のいずれかに記載の併用剤の増殖性疾患の併用治療に有効な量および少なくとも１種の医薬的に許容される担体を含有してなる医薬組成物。
【請求項５】
（ａ）Ｎ−｛５−［４−（４−メチル−ピペラジノ−メチル）−ベンゾイルアミド］−２−メチルフェニル｝−４−（３−ピリジル）−２−ピリミジン−アミンおよび（ｂ）ゾレドロン酸である化学療法剤とを含んでなる併用剤であって、それぞれの有効成分は遊離の形態または医薬的に許容される塩または水和物の形態で存在し、また所望により少なくとも１種の医薬的に許容される担体を含んでなり、同時または別個にまたは連続的に使用する併用剤。
【請求項６】
請求項５に記載の併用剤の疼痛性骨転移の併用治療に有効な量および少なくとも１種の医薬的に許容される担体を含有してなる医薬組成物。
【請求項７】
（ａ）Ｎ−｛５−［４−（４−メチル−ピペラジノ−メチル）−ベンゾイルアミド］−２−メチルフェニル｝−４−（３−ピリジル）−２−ピリミジン−アミンおよび（ｂ）レトロゾールである化学療法剤とを含んでなる併用剤であって、それぞれの有効成分は遊離の形態または医薬的に許容される塩または水和物の形態で存在し、また所望により少なくとも１種の医薬的に許容される担体を含んでなり、同時または別個にまたは連続的に使用する併用剤。
【請求項８】
請求項７に記載の併用剤のホルモンレセプター陽性乳房腫瘍の併用治療に有効な量および少なくとも１種の医薬的に許容される担体を含有してなる医薬組成物。
【誤訳訂正２】
【訂正対象書類名】明細書
【訂正対象項目名】００３９
【訂正方法】変更
【訂正の内容】
【００３９】
併用パートナー（ａ）および（ｂ）の分割投与用および固定した併用剤での投与用医薬組成物、すなわち、少なくとも２種類の併用パートナー（ａ）および（ｂ）を含んでなる単一ガレヌス組成物は、本発明に従い、自体既知の方法で調製可能であり、ヒトを含む哺乳類（温血動物）に対する経口または直腸投与などの経腸投与および非経口投与に適しており、少なくとも１種の薬理学的に活性な併用パートナーの治療有効量を、単独でまたは１種類以上の医薬的に許容される担体、とりわけ経腸投与および非経口投与に適した担体との組合せで含有してなる。
【誤訳訂正３】
【訂正対象書類名】明細書
【訂正対象項目名】００４０
【訂正方法】変更
【訂正の内容】
【００４０】
新規医薬組成物は、例えば、約１０％ないし約１００％、好ましくは約２０％ないし約６０％の有効成分を含む。経腸投与および非経口投与用の併用療法用医薬製剤は、例えば、糖衣錠、錠剤、カプセル剤または坐剤、およびさらにアンプル剤などの単位投与形態のものである。特に断りのない限り、これらは自体既知の方法で、例えば、通常の混合、顆粒化、糖衣、溶解または凍結乾燥工程により調製する。各投与形態の個々の用量に含まれる併用パートナーの単位含量は、それ自体を有効量として構成する必要がない；その理由は必要な有効量は複数の投与単位を投与することにより達成し得るからである。
【誤訳訂正４】
【訂正対象書類名】明細書
【訂正対象項目名】００４６
【訂正方法】変更
【訂正の内容】
【００４６】
エクゼメスタンは約５〜約２００ｍｇ／日の範囲、好ましくは約１０〜約２５ｍｇ／日の投与範囲でヒトに経口投与するか、または約５０〜５００ｍｇ／日、好ましくは約１００〜約２５０ｍｇ／日の範囲で非経口投与し得る。該薬物が個別の医薬組成物として投与すべき場合には、ＧＢ２,１７７,７００に開示された形態で投与することができる。
【誤訳訂正５】
【訂正対象書類名】明細書
【訂正対象項目名】００４７
【訂正方法】変更
【訂正の内容】
【００４７】
ホルメスタンは約１００〜５００ｍｇ／日、好ましくは約２５０〜約３００ｍｇ／日の投与範囲でヒトに非経口投与し得る。
アナストロゾールは約０.２５〜２０ｍｇ／日、好ましくは約０.５〜約２.５ｍｇ／日の投与範囲でヒトに経口投与し得る。
【誤訳訂正６】
【訂正対象書類名】明細書
【訂正対象項目名】００４８
【訂正方法】変更
【訂正の内容】
【００４８】
アミノグルテミドは約２００〜５００ｍｇ／日の投与範囲でヒトに投与し得る。
タモキシフェンは約１０〜４０ｍｇ／日の投与範囲でヒトに投与し得る。
ビンブラスチンは約１.５〜１０ｍｇ／ｍ２日の投与範囲でヒトに投与し得る。
硫酸ビンクリスチンは約０.０２５〜０.０５ｍｇ／ｋｇ体重・週の投与範囲でヒトに非経口投与し得る。
【誤訳訂正７】
【訂正対象書類名】明細書
【訂正対象項目名】０１１４
【訂正方法】変更
【訂正の内容】
【０１１４】
安全性分析：
患者はすべて安全性および毒性について評価する。最大１０名の患者を各投与レベルに集める。もし４人の患者がいずれかのレベルでＤＬＴを体験するならば、ＭＴＤは次に低い段階の投与レベルと規定する。安全性分析は各投与レベルでのＣＴＣ等級分類の概要、用量調整、有害事象率、検査値変化、蓄積毒性、ＤＬＴ、ならびに好中球減少および血小板減少までの時間および継続期間などである。
【誤訳訂正書】
【提出日】平成21年7月1日(2009.7.1)
【誤訳訂正１】
【訂正対象書類名】特許請求の範囲
【訂正対象項目名】請求項５
【訂正方法】変更
【訂正の内容】
【請求項５】
液状溶媒、安定剤、懸濁、分散および湿潤剤から成るグループから選択された追加の添加剤を含む請求項１乃至４のいずれか一つに記載の薬剤。 
【誤訳訂正２】
【訂正対象書類名】明細書
【訂正対象項目名】００５０
【訂正方法】変更
【訂正の内容】
【００５０】
この薬剤は、また、通常の添加剤を含むことができる。このような添加剤は、例えば、液状溶媒、安定剤、懸濁剤、分散剤および湿潤剤である。この薬剤は、任意の所望の調合で作ることができる。例として、許容できる調合の形態は、溶液、粒体、粉体、エマルジョン、錠剤および/又は被覆錠剤等から成る。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
ヒトまたは動物体の治療方法において使用するためのタンパク質トキソイドであって、可逆的変性条件下において遊離である該タンパク質トキソイド中の全てのシステイン残基がアルキル化されている、該トキソイド。
【請求項２】
細菌毒素由来である、請求項１記載のトキソイド。
【請求項３】
細菌毒素がジフテリア毒素、ボツリヌス毒素、破傷風毒素、シュードモナス外毒素Ａ、シガ毒素、コレラ毒素および大腸菌熱不安定性毒素（HLT）から選択される、請求項２記載のトキソイド。
【請求項４】
植物毒素由来である、請求項１〜３のいずれか１項記載のトキソイド。
【請求項５】
植物毒素がリシンまたはアブリンである、請求項４記載のトキソイド。
【請求項６】
ヘビ、クモまたはサソリの毒由来である、請求項１〜３のいずれか１項記載のトキソイド。
【請求項７】
請求項１〜６のいずれか１項記載のタンパク質トキソイドの製造方法であって、
(i)   可逆的変性条件下でタンパク質毒素中のシステイン残基をアルキル化し、
(ii)  該タンパク質を再生し、
(iii) 場合によって、段階(i)および(ii)を１回以上繰り返し、そして
(iv)  該タンパク質トキソイドを製薬上許容し得る希釈剤または担体と共に製剤化する、
ことを含む、上記方法。
【請求項８】
前記システイン残基が、タンパク質毒素をヨードアセトアミド、ヨード酢酸、N-エチルマレイミドまたはN-イソプロピルヨードアセトアミドから選択されるアルキル化剤と共にインキュベートすることによってアルキル化される、請求項７記載の方法。
【請求項９】
タンパク質毒素が尿素および／またはグアニジンを用いて変性される、請求項７または８記載の方法。
【請求項１０】
アルキル化剤を段階(ii)で除去する、請求項８または９記載の方法。
【請求項１１】
請求項７〜１０のいずれか１項記載の方法によって得られたまたは得られるタンパク質トキソイド。
【請求項１２】
ヒトまたは動物体の治療方法において使用するための、請求項１１記載のタンパク質トキソイド。
【請求項１３】
請求項１〜６および１１のいずれか１項記載のタンパク質トキソイドを、製薬上許容し得る担体もしくは希釈剤と共に含有する医薬またはワクチン組成物。
【請求項１４】
更にアジュバントを含有する、請求項１３記載のワクチン組成物。
【請求項１５】
細菌感染を治療または予防するための医薬の製造における、請求項１〜６および１１のいずれか１項記載のタンパク質トキソイドの使用。
【請求項１６】
細菌感染が、ジフテリア、ボツリヌス中毒症、破傷風、コレラ、大腸菌熱不安定性毒素による食中毒、シュードモナス感染または大腸菌感染の１種以上である、請求項１５記載の使用。
【請求項１７】
タンパク質毒素による被毒の治療または予防に使用するための医薬の製造における、請求項１〜６および１１のいずれか１項記載のタンパク質トキソイドの使用。
【請求項１８】
上記被毒が大腸菌熱不安定性毒素による食中毒またはボツリヌス中毒症である、請求項１７記載の使用。
【請求項１９】
上記被毒が生物兵器の病原物質によって引き起こされる、請求項１７記載の使用。
【請求項２０】
タンパク質トキソイドがボツリヌス毒素、リシンまたはアブリン由来である、請求項１７または１９記載の使用。
【請求項２１】
実験室試薬としての、請求項１〜６および１１のいずれか１項記載のタンパク質トキソイドの使用。
【請求項２２】
上記タンパク質トキソイドがモノクローナル抗毒素抗体を誘導または選択するために使用される、請求項２１記載の使用。
【請求項２３】
抗毒素の製造に使用するための医薬の製造における、請求項１〜６および１１のいずれか１項記載のタンパク質トキソイドの使用。
【請求項２４】
抗毒素の製造方法であって、請求項１〜６および１１のいずれか１項記載のタンパク質トキソイドを抗トキソイド抗体を誘導するのに有効な量で動物に投与する段階、場合により該動物を犠牲にすることにより該動物から血液を採取する段階、および該血液から該抗体を含む血清を分離する段階、また場合により該抗体を該血清から精製する段階および/または該抗体を処理して抗毒素抗体フラグメントを作製する段階を含んでなる、上記方法。
【請求項２５】
請求項２４記載の方法によって製造される抗毒素。
【請求項２６】
有毒細菌、毒素または生物兵器の病原物質にさらされた個体を治療するための医薬の製造における、請求項２５記載の抗毒素の使用。
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
式(I)：
MII1-aMIIIaObAn-c・zH2O    (I)
［式中、
MIIは少なくとも一つの二価金属であり；
MIIIはFe3+である少なくとも一つの三価金属であり；
An-は少なくとも一つのn価アニオンであり；
2+a = 2b + Σcnであり、Σcnは＜0.9aであり、zは2以下である］
で示される固体混合金属化合物を含む、医薬としての使用のための物質。
【請求項２】
式(I)において、aが≧0.3である、請求項１記載の物質。
【請求項３】
式(I)において、aが＜0.3である、請求項１記載の物質。
【請求項４】
式(I)において、0.03a＜Σcn＜0.5aである、請求項２記載の物質。
【請求項５】
式(I)において、0.03a＜Σcn＜0.7aである、請求項３記載の物質。
【請求項６】
2重量%未満、好ましくは1.5重量%未満、より好ましくは1重量%未満の結晶表面吸着水を有する、先の請求項のいずれか一項に記載の固体混合金属化合物。
【請求項７】
層状複水酸化物構造を含む出発物質を250℃〜500℃の温度にて加熱することにより得られるか、または得られうる固体混合金属化合物を含む、医薬としての使用のための物質。
【請求項８】
出発物質が式(II)：
MII1-xMIIIx(OH)2An-y・mH2O    (II)
［式中、
MIIは少なくとも一つの二価金属であり；
MIIIは少なくとも一つの三価金属であり；
An-は少なくとも一つのn価アニオンであり；
x = Σyn、0＜x≦0.5、0＜y≦1および0＜m≦10である］
で示される化合物を含む、請求項７記載の物質。
【請求項９】
式(II)において、xが≧0.3である、請求項８記載の物質。
【請求項１０】
式(II)において、xが＜0.3である、請求項８記載の物質。
【請求項１１】
物質が、それが得られうる式(II)の化合物と比較して、10%高いリン酸結合能力を有する、請求項７〜１０のいずれか一項に記載の物質。
【請求項１２】
リン酸結合のための医薬の製造における、式(I)：
MII1-aMIIIaObAn-c・zH2O    (I)
［式中、
MIIは少なくとも一つの二価金属であり；
MIIIはFe3+である少なくとも一つの三価金属であり；
An-は少なくとも一つのn価アニオンであり；
2+a = 2b+Σcnであり、Σcn＜0.9aであり、zは2以下である］
で示される固体混合金属化合物を含む物質の使用。
【請求項１３】
高リン血症の予防または治療のための医薬の製造における、式(I)：
MII1-aMIIIaObAn-c・zH2O    (I)
［式中、
MIIは少なくとも一つの二価金属であり；
MIIIはFe3+である少なくとも一つの三価金属であり；
An-は少なくとも一つのn価アニオンであり；
2+a = 2b+Σcnであり、Σcn＜0.9aであり、zは2以下である］
で示される固体混合金属化合物を含む物質の使用。
【請求項１４】
式(I)において、aが≧0.3であり、好ましくは0.03a＜Σcn＜0.5aである、請求項１２または１３記載の使用。
【請求項１５】
式(I)において、aが＜0.3であり、好ましくは0.03a＜Σcn＜0.7aである、請求項１２または１３記載の使用。
【請求項１６】
必要とする動物におけるリン酸結合のための医薬の製造における、層状複水酸化物構造を含む出発物質を250℃〜500℃の温度にて加熱することにより得られうる物質の使用。
【請求項１７】
高リン血症の予防または治療のための医薬の製造における、層状複水酸化物構造を含む出発物質を250℃〜500℃の温度にて加熱することにより得られうる物質の使用。
【請求項１８】
出発物質が式(II)：
MII1-xMIIIx(OH)2An-y・mH2O    (II)
［式中、
MIIは少なくとも一つの二価金属であり；
MIIIは少なくとも一つの三価金属であり；
An-は少なくとも一つのn価アニオンであり；
x=Σnyであり；0＜x≦0.5であり；0≦m≦10である］
で示される化合物を含む、請求項１６または１７記載の使用。
【請求項１９】
式(II)において、xが≧0.3である、請求項１８記載の使用。
【請求項２０】
式(II)において、xが＜0.3である、請求項１８記載の使用。
【請求項２１】
層状複水酸化物構造を含む出発物質を250℃〜500℃の温度にて加熱することを含む、医薬としての使用のための物質を製造する方法。
【請求項２２】
出発物質が式(II)：
MII1-xMIIIx(OH)2An-y・mH2O    (II)
［式中、
MIIは少なくとも一つの二価金属であり；
MIIIは少なくとも一つの三価金属であり；
An-は少なくとも一つのn価アニオンであり；
x=Σnyであり；0＜x≦0.5であり、0≦m≦10である］
で示される化合物を含む、請求項２１記載の方法。
【請求項２３】
式(II)において、xが≧0.3である、請求項２２記載の方法。
【請求項２４】
式(II)において、xが＜0.3である、請求項２２記載の方法。
【請求項２５】
出発物質が100μmより大きい粒子を実質的に含んでいない、請求項２１〜２４のいずれか一項に記載の方法。
【請求項２６】
式(I)：
MII1-aMIIIaObAn-c・zH2O    (I)
［式中、
MIIは少なくとも一つの二価金属であり；
MIIIはFe3+である少なくとも一つの三価金属であり；
An-は少なくとも一つのn価アニオンであり；
2+a = 2b+Σcnであり、Σcn＜0.9aであり、zは2以下である］
で示される固体混合金属化合物および医薬的に許容される担体を含む、医薬製剤。
【請求項２７】
式(I)において、aが≧0.3であり、好ましくは0.03a＜Σcn＜0.5aである、請求項２６記載の医薬製剤。
【請求項２８】
式(I)において、aが＜0.3であり、好ましくは0.03a＜Σcn＜0.7aである、請求項２６記載の医薬製剤。
【請求項２９】
層状複水酸化物構造を含む出発物質を250℃〜500℃の温度にて加熱することにより得られうる固体混合金属化合物および医薬的に許容される担体を含む、医薬製剤。
【請求項３０】
出発物質が式(II)：
MII1-xMIIIx(OH)2An-y・mH2O    (II)
［式中、
MIIは少なくとも一つの二価金属であり；
MIIIは少なくとも一つの三価金属であり；
An-は少なくとも一つのn価アニオンであり；
x=Σnyであり；0＜x≦0.5、0≦m≦10である］
で示される化合物を含む、請求項２７記載の医薬製剤。
【請求項３１】
式(II)において、xが≧0.3である、請求項３０記載の医薬製剤。
【請求項３２】
式(II)において、xが＜0.3である、請求項３０記載の医薬製剤。
【請求項３３】
固体混合金属化合物、医薬的に許容される担体および適宜他の任意の成分を混合することを含む、請求項２６〜３２のいずれか一項に記載の医薬製剤を製造する方法。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
タンパク質でありかつ7より高いpI値を有する正電荷物質、生物学的成分、およびアモルファス固体マトリックスを形成している糖を含む、乾燥または保存製品。
【請求項２】
荷電物質が10より高いpI値と少なくとも+5の正電荷を有する、請求項1に記載の乾燥または保存製品。
【請求項３】
荷電物質が、後期胚発生豊富タンパク質、ヒストンタンパク質または高移動度群タンパク質を含む、請求項1または2に記載の乾燥または保存製品。
【請求項４】
ヒストンタンパク質がヒストン2Aである、請求項3に記載の乾燥または保存製品。
【請求項５】
糖が、
(a)二糖、三糖、オリゴ糖、もしくはその混合物であるか、または
(b)スクロース、トレハロース、ウンベリフェロース、ラフィノース、スタキオース、ベルバスコース、メレジトース、もしくはその混合物を含むものである、
請求項1〜4のいずれか１項に記載の乾燥または保存製品。
【請求項６】
植物種子またはその類似物の抽出物をさらに含み、該抽出物が、生物学的成分の乾燥耐性に影響を及ぼすことができる、請求項1〜5のいずれか１項に記載の乾燥または保存製品。
【請求項７】
生物学的成分が、酵素、細胞増殖サプリメント、ワクチン製剤、細胞、血小板、ウイルス、抗体または抗体フラグメント、医薬、抗生物質、ペプチド、タンパク質、ヌクレオチド、ヌクレオシドまたはポリ核酸を含む、請求項1〜6のいずれか１項に記載の乾燥または保存製品。
【請求項８】
ウイルスが、
(a)バクテリオファージであるか、
(b)DNAウイルスもしくはRNAウイルスであるか、または
(c)麻疹ウイルス、ポリオウイルス、ロタウイルス、ヒトパピローマウイルス、RS(呼吸器合胞体)ウイルス、HIV、インフルエンザウイルス、デングウイルス、肝炎ウイルス、黄熱病ウイルス、水痘ウイルス、ジフテリアウイルス、ムンプスウイルス、風疹ウイルス、もしくは日本脳炎ウイルスである、
請求項7に記載の乾燥または保存製品。
【請求項９】
生物学的成分が、
(a)血液、乳汁、尿、もしくは細胞培養培地から単離されたものであるか、または
(b)ウイルス、原核細胞、真核細胞、植物もしくは菌類の供給源から単離されたものである、
請求項7に記載の乾燥または保存製品。
【請求項１０】
医薬用である、請求項1〜9のいずれか１項に記載の乾燥または保存製品。
【請求項１１】
(i) 生物学的成分を、糖、およびタンパク質でありかつ7より高いpI値を有する正電荷物質と混合すること、ならびに(ii)糖をアモルファス固体マトリックスに変換すること、の各工程を含む生物学的成分の保存方法。
【請求項１２】
(a)荷電物質が、請求項2〜4のいずれかに記載されたものであり、
(b)糖が、請求項5に記載されたものであり、および／または
(c)生物学的成分が、請求項7〜9のいずれかに記載されたものである、
請求項11に記載の方法。
【請求項１３】
工程(ii)が混合物を凍結乾燥させることを含む、請求項11または12に記載の方法。
【請求項１４】
生物学的成分を植物種子またはその類似物の抽出物と混合することをさらに含み、該抽出物が生物学的成分の乾燥耐性に影響を及ぼすことができる、請求項11〜13のいずれか１項に記載の方法。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008530050.tif 000001
で表される、結晶性 1-[3-[3-(4-クロロフェニル)プロポキシ]プロピル]-ピペリジン一塩酸塩、又はその薬学的に許容される水和物を含む溶媒和物。
【請求項２】
11.2°、19.9°、20.7°及び 34.1°±0.2°に特徴的ピーク（２θ）を含むX-線回折を有する、請求項１記載の結晶性 1-[3-[3-(4-クロロフェニル)プロポキシ]プロピル]-ピペリジン一塩酸塩。
【請求項３】
11.2°、15.4°、16.3°、16.9°、17.8°、19.9°、20.7°、21.0°、21.8°、22.6°、24.5°、24.6°、25.0°、25.5°、26.3°、28.3°、30.3°、34.1°、35.8°、40.0°、46.0°±0.2°に特徴的ピーク（２θ）を含むX-線回折を有する、請求項１又は２記載の結晶性 1-[3-[3-(4-クロロフェニル)プロポキシ]プロピル]-ピペリジン一塩酸塩。
【請求項４】
a) 1-[3-[3-(4-クロロフェニル)プロポキシ]プロピル]-ピペリジンを、好適な溶媒中で、塩化水素又は塩酸から選ばれる反応物と反応させ、沈殿した1-[3-[3-(4-クロロフェニル)プロポキシ]プロピル]-ピペリジン一塩酸塩を単離し；及び
b) 当該沈殿した1-[3-[3-(4-クロロフェニル)プロポキシ]プロピル]-ピペリジン一塩酸塩を好適な溶媒中で結晶化すること、
を含む、請求項１〜３のいずれか１項記載の化合物の製造法。
【請求項５】
前記反応物が塩化水素である、請求項４記載の方法。
【請求項６】
前記塩化水素を、塩化水素ガスとして加える、請求項５記載の方法。
【請求項７】
ステップa）の好適な溶媒が、アセトン、メタノール、エタノール、プロパノール、水、酢酸エチル、i-プロパノール、ブタノール、i-ブタノール、s-ブタノール、t-ブタノール、ヘキサン、トルエン、t-ブチル-メチルエーテル、トリクロロエタン、及びそれらの混合物からなる群より選ばれる、請求項４記載の方法。
【請求項８】
前記好適な溶媒が、酢酸エチルである、請求項７記載の方法。
【請求項９】
ステップb）の好適な溶媒が、アセトン、メタノール、エタノール、プロパノール、水、酢酸エチル、i-プロパノール、ブタノール、i-ブタノール、s-ブタノール、t-ブタノール、ヘキサン、トルエン、t-ブチル-メチルエーテル、トリクロロエタン、及びそれらの混合物からなる群より選ばれる、請求項４記載の方法。
【請求項１０】
前記好適な溶媒が、酢酸エチルとi-プロパノールとの混合物である、請求項９記載の方法。
【請求項１１】
請求項１〜３のいずれか１項記載の化合物を含む、中枢神経系疾患を治療するための医薬組成物。
【請求項１２】
癲癇を治療するための、請求項１１記載の医薬組成物。
【請求項１３】
前記中枢神経系疾患が、アルツハイマー病、並びに注意欠陥障害、不眠障害及び記憶障害からなる群より選ばれる、請求項１１記載の医薬組成物。
【請求項１４】
前記中枢神経系疾患が、精神疾患における認識障害からなる群より選ばれる、請求項１１記載の医薬組成物。
【請求項１５】
前記中枢神経系疾患が、高齢者の疾患、抑鬱状態及び無力状態からなる群より選ばれる、請求項１１記載の医薬組成物。
【請求項１６】
前記中枢神経系疾患が、目眩及び乗り物酔いからなる群より選ばれる、請求項１１記載の医薬組成物。
【請求項１７】
請求項１〜３のいずれか１項記載の化合物を含む、肥満の治療のための医薬組成物。
【請求項１８】
請求項１〜３のいずれか１項記載の化合物を含む、心因性の障害、呼吸性アレルギー症状、炎症症状、心臓病、胃腸病、泌尿生殖器系の症状、及び皮膚系の症状を治療するための医薬組成物。
【請求項１９】
睡眠障害、睡眠時無呼吸、睡眠誘導無呼吸、日中の眠気、ストレス、片頭痛、頭痛、疼痛、心因性の障害、喘息、気管支炎、鼻炎、気管炎、胃潰瘍、十二指腸潰瘍、潰瘍性大腸炎、クーロン病、過敏性腸症候群、膀胱炎、子宮筋層炎、尿糞失禁、蕁麻疹、痒み、関節炎、結膜炎、月経前症候群、前立腺炎症、生殖障害、リウマチ様症状及び眼症状、唾液分泌過多、痙攣、鬱病、視床下部下垂体分泌性、脳循環性及び免疫系の障害を治療するための、請求項１８記載の医薬組成物。
【請求項２０】
請求項１〜３のいずれか１項記載の化合物を含む、抗精神病薬又は抗鬱剤により生じる望ましくない副作用を抑制するための医薬組成物。
【請求項２１】
前記抗精神病薬が、アリピプラゾール、クロザピン、オランザピン、リスペリドン、クエチアピン及びセルチンドールからなる群より選ばれる、請求項２０記載の医薬組成物。
【請求項２２】
前記抗鬱剤が、ミルタザピン、アミトリプチリン及びパロキセチンからなる群より選ばれる、請求項２０記載の医薬組成物。
【請求項２３】
前記の抗精神病薬又は抗鬱剤により生じる望ましくない副作用が、体重増加、眠気及び記憶障害から選ばれる少なくとも１つである、請求項２０記載の医薬組成物。
【請求項２４】
請求項１〜３のいずれか１項で定義された化合物の治療上有効量、及び薬学的に許容される賦形剤又は担体を含む、医薬組成物。
【請求項２５】
抗精神病薬を更に含む、請求項２４記載の組成物。
【請求項２６】
前記抗精神病薬が、アリピプラゾール、クロザピン、オランザピン、リスペリドン、クエチアピン及びセルチンドールからなる群より選ばれる、請求項２５記載の組成物。
【請求項２７】
抗鬱剤を更に含む、請求項２４記載の組成物。
【請求項２８】
前記抗鬱剤が、ミルタザピン、アミトリプチリン及びパロキセチンからなる群より選ばれる、請求項２７記載の組成物。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
次の化学式(16)を有する少なくとも１つの合成物の有効量を含む相乗作用を有する組成物であって、
【化１】
2008530089.tif 000001
ここで、Ｘは低級アルキル基、ヘテロアルキル基、置換又は非置換アリル基、置換又は非置換ヘテロアリル基、アリルアルキル基、及びヘテロアリルアルキル基からなるグループから選択され、
Ｒ1は、水素、低級アルキル基、ヘテロアルキル基、置換又は非置換アリル基、置換又は非置換ヘテロアリル基、アリルアルキル基、及びヘテロアリルアルキル基からなるグループから選択され、
Ｒ2は、水素、低級アルキル基、複数の低級アルキル基、ヘテロアルキル基、複数のヘテロアルキル基、アルコキシ基、複数のアルコキシ基、置換又は非置換アリル基、複数の置換又は非置換アリル基、置換又は非置換ヘテロアリル基、複数の置換又は非置換ヘテロアリル基からなるグループから選択され、
Ｒ3は、ゼロ、低級アルキル基、ヘテロアルキル基、アルケニル基、及びヘテロアルケニル基からなるグループから選択され、
Ｒ4は、置換又は非置換アリル基、置換又は非置換ヘテロアリル基、アリルアルキル基、ヘテロアリルアルキル基及び水素からなるグループから選択され、Ｒ3がゼロであれば、Ｒ4は水素であり、
更なる化学療法薬剤の有効量を含む、相乗効果を有する組成物。
【請求項２】
化学式(16)の合成物は、Ｘが低位アルキル基であり、Ｒ1が水素であり、Ｒ2が単一のアルコキシ基及び複数のアルコキシ基からなるグループから選択され、Ｒ3が低位アルキル基であり、Ｒ4がアリル基である、請求項１に記載の相乗効果を有する組成物。
【請求項３】
化学式(16)の合成物は、Ｒ2が３，４，５−トリＯＭｅである、請求項２に記載の相乗効果を有する組成物。
【請求項４】
化学式(16)の合成物は、Ｒ2が３−ＯＭｅ及び２−ＯＭｅからなるグループから選択される、請求項２に記載の相乗効果を有する合成物。
【請求項５】
化学式(16)の合成物は、Ｒ3がメチレン基であり、Ｒ4がフェニル基である、請求項２に記載の相乗効果を有する組成物。
【請求項６】
更なる化学療法薬剤は、パクリタクセル、ドセタセル、ビンカアルカロイド、コルヒチン、コルセミド、シスプラチン及びノカダゾルからなるグループから選択される、請求項１に記載の相乗効果を有する組成物。
【請求項７】
化学式(16)の合成物及び更なる化学療法薬剤は、適切な医薬キャリアに組み込まれる、請求項１に記載の相乗効果を有する組成物。
【請求項８】
医薬キャリアは、生理食塩水及び５パーセントのブドウ糖からなるグループから選択される、請求項７に記載の相乗効果を有する組成物。
【請求項９】
化学式(16)の合成物は、微小管の重合及び有糸分裂紡錘体の情報を抑制する、請求項１に記載の相乗効果を有する組成物。
【請求項１０】
化学式(16)の合成物は、多剤耐性を有する細胞内の有糸分裂を抑制する、請求項１に記載の相乗効果を有する組成物。
【請求項１１】
多剤耐性は、P-糖タンパク質による、請求項１０に記載の相乗効果を有する組成物。
【請求項１２】
多剤耐性は、MRP1による、請求項１０に記載の相乗効果を有する組成物。
【請求項１３】
化学式(16)の合成物は、多剤耐性の逆転を容易にする、請求項１に記載の相乗効果を有する組成物。
【請求項１４】
多剤耐性は、P-糖タンパク質による、請求項１３に記載の相乗効果を有する組成物。
【請求項１５】
化学式(16)の合成物は、Ｒ2が２，３，４，５−テトラＯＭｅである、請求項１に記載の相乗効果を有する組成物。
【請求項１６】
Ｒ2が２−ＯＭｅに等しい化学式(16)の第１の合成物、及びＲ2が３，４，５−トリＯＭｅに等しい化学式(16)の第２の合成物を含む、請求項１に記載の相乗効果を有する組成物。
【請求項１７】
化学療法薬剤は、パクリタクセル、ドセタセル、ビンカアルカロイド、コルヒチン、コルセミド、シスプラチン及びノカダゾルからなるグループから選択される、請求項１６に記載の相乗効果を有する組成物。
【請求項１８】
第１及び第２の合成物及び更なる化学療法薬剤は、適切な医薬キャリアに組み込まれる、請求項１７に記載の相乗効果を有する組成物。
【請求項１９】
医薬キャリアは、生理食塩水及び５パーセントのブドウ糖からなるグループから選択される、請求項１８に記載の相乗効果を有する組成物。
【請求項２０】
化学式(16)の合成物は、更なる化学療法薬剤の抗有糸分裂効果を高める、請求項１に記載の相乗効果を有する組成物。
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
７．６、９．５、１１．４、１５．０、１６．８、１８．２、１８．５及び２１．２の２θ値でピークがないＸ線回折ピークパターンを有するＣＣＩ−７７９多形。
【請求項２】
前記多形が、以下の特徴：
（ａ）約６．６、９．８、１４．０、１４．１、１４．５及び１８．８の２θにピークを含むＸ線回折ピークパターン；及び
（ｂ）約１１０℃の開始温度での吸熱を有する示差走査熱量測定サーモグラム
を有するＩＩ型である、請求項１に記載のＣＣＩ−７７９多形。
【請求項３】
２５℃〜１５０℃で加熱した際に１重量％未満の重量減少の熱重量分析を有する、請求項２に記載のＣＣＩ−７７９多形ＩＩ型。
【請求項４】
非晶質ＣＣＩ−７７９及びｔ−ブチルメチルエーテルを含有する懸濁液からＣＣＩ−７７９多形ＩＩ型を沈殿させることによって入手可能なＣＣＩ−７７９多形ＩＩ型。
【請求項５】
ＣＣＩ−７７９多形ＩＩ型を調製するための方法であって、
（ａ）ＣＣＩ−７７９を開始溶媒に溶解する工程；
（ｂ）工程（ａ）の前記開始溶媒を除去して、固体泡状物質を形成する工程；
（ｃ）固体泡状物質をｔ−ブチルメチルエーテル（ｔ−ＢＭＥ）と混合する工程；及び
（ｄ）前記ＣＣＩ−７７９多形ＩＩ型を収集する工程
を含む、前記方法。
【請求項６】
前記開始溶媒がアセトンである、請求項５に記載の方法。
【請求項７】
ｔ−ＢＭＥを、固体懸濁液を形成するのに十分な量で添加する、請求項５又は請求項６に記載の方法。
【請求項８】
ｔ−ＢＭＥで懸濁液を洗浄する工程及び乾燥結晶ＩＩ型固体を得るために真空下で乾燥する工程をさらに含む、請求項７に記載の方法。
【請求項９】
固体懸濁液を形成するためにｔ−ＢＭＥと固体泡状物質の混合物にｎ−ヘプタンを混合する工程をさらに含む、請求項５又は請求項６に記載の方法。
【請求項１０】
固体を収集する工程、前記固体をｎ−ヘプタンで洗浄する工程、及び乾燥結晶ＩＩ型固体を得るために真空下で乾燥する工程をさらに含む、請求項９に記載の方法。
【請求項１１】
ＣＣＩ−７７９多形ＩＩ型及び薬学的に受容可能な担体を含有する、医薬組成物。
【請求項１２】
ＣＣＩ−７７９多形ＩＩ型及び哺乳動物被験体への投与に適する担体を含む、キット。
【請求項１３】
ＣＣＩ−７７９多形ＩＩ型を含有する医薬組成物を調製する方法であって、
（ｉ）ＣＣＩ−７７９多形ＩＩ型；
（ｉｉ）金属キレート化剤；
（ｉｉｉ）ｐＨ調整剤；
（ｉｖ）界面活性剤；
（ｖ）少なくとも１つの充填剤；
（ｖｉ）結合剤；
（ｖｉｉ）崩壊剤；及び
（ｖｉｉｉ）潤滑剤
の１又はそれ以上を組み合わせることを含む、前記方法。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ＩＧＦＢＰ−３ポリペプチド、ＩＧＦＢＰ−３ポリペプチド類似体、またはＩＧＦＢＰ−３もしくはその類似体をコードするヌクレオチド配列を含むベクターのうち少なくとも１つを含む、気道反応性亢進に関連した状態を治療するための医薬品。
【請求項２】
前記類似体がＧＧＧ−ＩＧＦＢＰ−３である、請求項１に記載の医薬品。
【請求項３】
前記ベクターが、アデノウイルス、プラスミド、ファージミド、コスミド、人工染色体、酵母人工染色体、バクテリア人工染色体、バクテリオファージ、ラムダファージ、Ｍ１３ファージ、レトロウイルス、レンティウイルス、アデノ随伴ウイルス、ヘルペスウイルス、ポックスウイルス、バキュロウイルス、パピローマウイルス、パポバウイルス、またはＳＶ４０パポバウイルスである、請求項１に記載の医薬品。
【請求項４】
前記気道反応性亢進に関連した状態が喘息である、請求項１に記載の医薬品。
【請求項５】
前記気道反応性亢進に関連した状態が閉塞性呼吸器障害である、請求項１に記載の医薬品。
【請求項６】
前記医薬品が、エアロゾル投与、経腸投与、経鼻投与、眼内投与、経口投与、非経口投与、または経皮投与のうち少なくとも１つが可能な形態である、請求項１に記載の医薬品。
【請求項７】
医薬上許容可能な担体を含む、請求項６に記載の医薬品。
【請求項８】
気道反応性亢進に関連した状態を有しない被検体のＩＧＦＢＰ−３の発現レベルと比較して、ある被検体のＩＧＦＢＰ−３の発現レベルを検出するステップを含む、気道反応性亢進に関連した状態または気道反応性亢進に関連した状態の素因を検査する方法。
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
適切な溶媒で再調製後に注射剤に整えられる単一ユニットの乾燥粉末剤として使用するための、２種の共存できない抗菌剤を含む、無菌の固定用量併用剤の医薬組成物であって、
ａ）第一の抗菌剤が、糖ペプチドであり、
ｂ）第二の抗菌剤が、セファロスポリンであり、
ｃ）該第一の抗菌剤および該第二の抗菌剤が、１：４〜４：１の重量比で存在し、
ｄ）粒子形成／沈殿阻害剤／安定化剤／中和剤として作用する化学ベクトルが、組成物を化学的に共存可能で、かつ安定にさせるように、該第一の抗菌剤および該第二の抗菌剤をあわせた重量の１０％〜４０％の重量比で存在する、
医薬組成物。
【請求項２】
ａ）前記糖ペプチドが、バンコマイシンまたは塩酸バンコマイシンンなどのその薬学的に許容され得る塩であり、
ｂ）前記セファロスポリンが、セフトリアキソンまたはセフトリアキソンナトリウムなどのその薬学的に許容され得る塩であり、
ｃ）組成物に加えることにより、組成物を安定に、かつ化学的に共存可能にさせることができる前記化学ベクトル（ＣＶＭＣ剤）が、Ｌ−アルギニンなどのアミノ酸およびＥＤＴＡ二ナトリウムなどを含む、
請求項１記載の組成物。
【請求項３】
ａ）バンコマイシンまたはその塩酸バンコマイシンなどのその薬学的に許容され得る塩が、再調製される組成物の１ｍｇ／ｍｌ〜１００ｍｇ／ｍｌ範囲の量で存在し、
ｂ）セフトリアキソンまたはセフトリアキソンナトリウムなどのその薬学的に許容され得る塩が、再調製される組成物の１ｍｇ／ｍｌ〜２００ｍｇ／ｍｌ範囲の量で存在し、
ｃ）前記２種の抗菌剤が、１：４〜４：１の重量比で存在し、
ｄ）Ｌ−アルギニンおよびＥＤＴＡ二ナトリウムなどの前記化学ベクトルが、組成物の総重量の１０％〜４０％の重量比で存在し、ｐＨ７〜９の範囲で該組成物を安定に、かつ化学的に共存可能にさせる沈殿阻害剤として作用する、
請求項１および２記載の単回投与組成物。
【請求項４】
凍結乾燥した形態などにおいて、薬物の粒子、粉末、顆粒、ナノ粒子、微粒子、微小球として組成物中に存在してもよい、請求項３記載の抗菌剤。
【請求項５】
不活性ガスのブランケット下で滅菌容器に充填され、密閉され、上記容器が１種以上のバイアル、アンプル、注射器、パケット、パウチおよび自動注入器であり、上記容器の内部空間が、再調整された形態の上記組成物により占有される充填容積、ならびに不活性ガスに限定された微小雰囲気により無菌的に占有されるヘッドスペース容積を含み、微小雰囲気は、希ガスおよび窒素からなる群より選択される１種以上の不活性ガスを本質的に含み、窒素ガスを使用する場合には、上記窒素ガスの量が、上記ヘッドスペース容積の５％以下であり、そして上記ヘッドスペース容積に対する上記充填容積の比が、１：１以上である、請求項４記載の組成物。
【請求項６】
請求項２〜４記載の予備混合した無菌固定容量の抗生併用剤を製造する方法であって、
ａ）前記抗生剤成分またはその薬学的に許容され得る塩を１：４〜４：１の重量比で、混合物中の総重量の１０％〜４０％の重量比の化学ベクトルとともに、滅菌充填／滅菌混合し、前記化学ベクトルは、粒子形成／沈殿阻害剤または安定化剤または中和剤として作用して、組成物を化学的に共存可能にさせ、
ｂ）上記滅菌添加／滅菌充填／滅菌混合を、１時間〜４時間に及ぶ時間継続し、
ｃ）上記滅菌充填／滅菌混合を均衡させ、
ｄ）前後にガス処理を行って無菌的に栓をする
工程を含む、製造方法。
【請求項７】
前記請求項のいずれか１項に記載し、実質的に本明細書に記載したか、例示した組成物。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
適当な担体と共に有効量のラクトバチルス・ケフィラノファシエンス（Lactobacillus kefiranofaciens）を含んで成るプロバイオティクス組成物であって、該ラクトバチルス・ケフィラノファシエンス（Lactobacillus kefiranofaciens）が、Ｒ２Ｃ２、ＩＮＩＸ、Ｋ２、ＢｉｏＳＰ及びＥＳ１から成る群から選択される株である、プロバイオティクス組成物。
【請求項２】
腸内付着、腸内持続、腸内ミクロフローラの陽性調節、腸内病原菌に対する保護、免疫調節、全身性炎症に対する保護、腸炎に対する保護、アレルギーに対する保護、下痢に対する保護、糖尿病に対する保護、高脂血症に対する保護及び結腸癌に対する保護から成る群から選択されるプロバイオティクス効果を有する、請求項１に記載の組成物。
【請求項３】
前記組成物が、経口、直腸、又は膣投与用である、請求項１に記載の組成物。
【請求項４】
前記腸炎が、炎症性腸疾患（ＩＢＤ）、クローン病（ＣＤ）、潰瘍性大腸炎（ＵＣ）により、又は過敏性腸症候群（ＩＢＳ）により生じる、請求項２に記載の組成物。
【請求項５】
プロバイオティクス化合物としてのラクトバチルス・ケフィラノファシエンス（Lactobacillus kefiranofaciens）の使用であって、ここで該ラクトバチルス・ケフィラノファシエンス（Lactobacillus kefiranofaciens）が、Ｒ２Ｃ２、ＩＮＩＸ、Ｋ２、ＢｉｏＳＰ及びＥＳ１から成る群から選択される株である、使用。
【請求項６】
腸内付着、腸内持続、腸内ミクロフローラの陽性調節、腸内病原菌に対する保護、免疫調節、全身性炎症に対する保護、腸炎に対する保護、アレルギーに対する保護、下痢に対する保護、糖尿病に対する保護、高脂血症に対する保護及び結腸癌に対する保護から成る群から選択されるプロバイオティクス効果を有する、請求項５に記載の使用。
【請求項７】
前記ラクトバチルス・ケフィラノファシエンス（Lactobacillus kefiranofaciens）が経口投与用である、請求項５に記載の使用。
【請求項８】
前記ラクトバチルス・ケフィラノファシエンス（Lactobacillus kefiranofaciens）が、生細菌集団、凍結乾燥細菌集団、発酵乳製品及び非生存細菌試料から成る群から選択される形態において投与される、請求項７に記載の使用。
【請求項９】
前記非生存細菌試料が、熱殺細菌、照射細菌、及び溶解細菌から成る群から選択される、請求項８に記載の使用。
【請求項１０】
前記前記プロバイオティクス化合物が、抗炎症性効果を有する、請求項５に記載の使用。
【請求項１１】
前記ラクトバチルス・ケフィラノファシエンス（Lactobacillus kefiranofaciens）が、抗炎症性化合物と共に使用される、請求項５〜１０のいずれか一項に記載の使用。
【請求項１２】
前記抗炎症性化合物が５−ＡＳＡ又は副腎皮質ステロイドである、請求項１１に記載の使用。
【請求項１３】
乾癬の治療のための医薬の製造のための、請求項５に記載の使用。
【請求項１４】
乳清を発酵するためのラクトバチルス・ケフィラノファシエンス（Lactobacillus kefiranofaciens）の使用。
【請求項１５】
前記乳清がチーズ乳清である、請求項１４に記載の使用。
【請求項１６】
前記ラクトバチルス・ケフィラノファシエンス（Lactobacillus kefiranofaciens）が、ラクトバチルス・ケフィラノファシエンス亜種ケフィラノファシエンス（Lactobacillus kefiranofaciens subsp. kefiranofaciens）及びラクトバチルス・ケフィラノファシエンス亜種ケフィアグラナム（Lactobacillus kefiranofaciens subsp. kefirgranum）から成る群から選択される、請求項１４又は１５のいずれかに記載の方法。
【請求項１７】
前記ラクトバチルス・ケフィラノファシエンス（Lactobacillus kefiranofaciens）が、Ｒ２Ｃ２、ＩＮＩＸ、Ｋ２、ＢｉｏＳＰ及びＥＳ１から成る群から選択される株である、請求項１４又は１５のいずれかに記載の方法。
【請求項１８】
循環器疾患の治療のための医薬の製造におけるラクトバチルス・ケフィラノファシエンス（Lactobacillus kefiranofaciens）による乳清の発酵から得られた製品の使用。
【請求項１９】
高血圧の治療のための医薬の製造におけるラクトバチルス・ケフィラノファシエンス（Lactobacillus kefiranofaciens）による乳清の発酵から得られた製品の使用。
【請求項２０】
体重障害の治療のための医薬の製造におけるラクトバチルス・ケフィラノファシエンス（Lactobacillus kefiranofaciens）による乳清の発酵から得られた製品の使用。
【請求項２１】
高脂血症の治療のための医薬の製造におけるラクトバチルス・ケフィラノファシエンス（Lactobacillus kefiranofaciens）による乳清の発酵から得られた製品の使用。
【請求項２２】
トリグリセリド障害の治療のための医薬の製造におけるラクトバチルス・ケフィラノファシエンス（Lactobacillus kefiranofaciens）による乳清の発酵から得られた製品の使用。
【請求項２３】
前記ラクトバチルス・ケフィラノファシエンス（Lactobacillus kefiranofaciens）が、ラクトバチルス・ケフィラノファシエンス亜種ケフィラノファシエンス（Lactobacillus kefiranofaciens subsp. kefiranofaciens）及びラクトバチルス・ケフィラノファシエンス亜種ケフィアグラナム（Lactobacillus kefiranofaciens subsp. kefirgranum）から成る群から選択される、請求項１９〜２２のいずれかに記載の方法。
【請求項２４】
前記ラクトバチルス・ケフィラノファシエンス（Lactobacillus kefiranofaciens）が、Ｒ２Ｃ２、ＩＮＩＸ、Ｋ２、ＢｉｏＳＰ及びＥＳ１から成る群から選択される株である、請求項１９〜２２のいずれかに記載の方法。